(57)【要約】【課題】  本発明の課題は、撮影装置が撮影した船内の様子の映像を船内の異なる場所に設置された複数の情報処理装置に接続される表示装置に表示することができると共に、それぞれの表示装置に表示された映像をそれぞれの情報処理装置に接続される記録装置に記録することができる船内監視記録システムを提供することにある。【解決手段】  本発明は、撮影装置が撮影した映像が設置場所の異なる複数の情報処理装置に表示される。また、それぞれの情報処理装置に接続されたそれぞれの記録装置に撮影装置が撮影した映像に基づく映像データを記録することができる。これにより、１台の情報処理装置が破壊されたとしても、もう１台の情報処理装置で映像を確認することができるとともに、それぞれの映像データを情報処理装置内の記憶部とは別に記録することで、船外にある情報処理装置によっても撮影装置が撮影した映像を確認することができる。【選択図】図１
2008252457.tif 000002
【特許請求の範囲】
【請求項１】
船内の映像を表示させるとともに記録させて、該船内を監視する船内監視記録システムであって、
前記船内を撮影する撮影部、及び、前記撮影部で撮影された前記船内の映像を映像データとして送信するデータ送信部を有し、前記船内の所定の場所に備えられる撮影装置と、
前記撮影装置の前記送信部から送信された前記映像データを受信する第１データ受信部、前記第１受信部で受信した前記映像データを記憶する第１記憶部、及び、前記第１記憶部に記憶された前記映像データに基づいて、前記撮影装置の前記撮影部で撮影された前記船内の映像を第１表示装置に表示させる第１表示部を有し、前記船内の所望の場所に設置される前記第１情報処理装置と、
前記第１情報処理装置の前記第１記憶部に記憶された前記映像データを記録用の映像データとして記録する第１記録装置と、
前記第１情報処理装置の前記第１データ受信部で受信した前記映像データと同じ映像データを受信する第２データ受信部、前記第２受信部で受信した前記映像データを記憶する第２記憶部、及び、前記第２記憶部に記憶された前記映像データに基づいて、前記撮影装置の前記撮影部で撮影された前記船内の映像を第２表示装置に表示させる第２表示部を有し、前記船内の前記第１情報処理装置とは異なる場所に設置される前記第２情報処理装置と、
前記第２情報処理装置の前記第２記憶部に記憶された前記映像データを記録用の映像データとして記録する第２記録装置とを有することを特徴とする船内監視記録システム。
【請求項２】
前記第２情報処理装置の前記第２記憶部に記憶された前記映像データを前記第２情報処理装置から受信する第３受信部と、
前記第３受信部で受信した前記映像データに基づいて、前記撮影装置の前記撮影部で撮影された前記船内の映像を第３表示装置に表示させる第３表示部とを有し、
船外に備えられる第３情報処理装置をさらに有し、
前記第２情報処理装置は、前記第３情報処理装置に前記第２記憶部に記憶された前記映像データを送信する第２データ送信部を有することを特徴とする請求項１に記載の船内監視記録システム。
【請求項３】
前記第１情報処理装置及び前記第１記録装置は、前記船の機関室内の機器を制御する機関制御室に備えられ、
前記第２情報処理装置及び前記第２記録装置は、前記船を操作する操舵室に備えられていることを特徴とする請求項１に記載の船内監視記録システム。
【請求項４】
前記撮影装置は、前記機関室内に複数備えられていることを特徴とする請求項３に記載の船内監視記録システム。
【請求項５】
前記撮影装置は、前記船内への入口に備えられていることを特徴とする請求項３に記載の船内監視記録システム。
【発明の詳細な説明】
【技術分野】
【０００１】
本発明は、船内の映像を表示させるとともに記録させて、該船内を監視する船内監視記録システムに関するものである。
【背景技術】
【０００２】
貨物船や客船といった船舶は、特に航海中、周囲を海に囲まれ、洋上に孤立した特殊な地理的要因から、安全な航海のために船舶内を監視する必要がある。例えば、航海中における火災や密航者に十分に注意をはらう必要がある。そのため、一般の建築施設などで利用される監視システムを適用する場合があった。このような監視システムの一例としては、監視カメラなどを所定の場所に配置し、この監視カメラからの映像を無線により監視室に送信するものなどがある（例えば、特許文献１参照）。
【０００３】
【特許文献１】特開平０８−１０６５８０号公報
【０００４】
この監視システムは、所定の場所に備えられた複数のカメラと、このカメラが撮影した映像が表示される１台の情報処理装置とを有している。さらにこの情報処理装置は、表示された映像に例えば不審者や火災などが映し出されていた場合、それに対応するために、監視カメラに比較的近い場所に設置されるものである。
【発明の開示】
【発明が解決しようとする課題】
【０００５】
このような監視システムを洋上を航海する船舶に利用する場合、カメラによって撮影された映像を船舶内のカメラの設置場所に近い場所に情報処理装置を設置することになる。しかしながら、船舶の航海に支障をきたすような例えば火災などのトラブルの発生や、密航が行われた場合、カメラの設置場所に近い場所に設置された情報処理装置だけでは、その情報処理装置が破壊される可能性がある。
【０００６】
また、船舶の場合、通常の監視システムとは異なり、現在の状況把握だけでなく、例えばトラブルの発生の原因究明や、密航者を入船地域の特定などといったように航海後に映像を確認することもある。そのため、カメラが撮影した映像を表示する情報処理装置が破壊された場合、航海後に映像を確認することができなくなってしまう。
【０００７】
そこで、本発明は、上記実状に鑑み、撮影装置が撮影した船内の様子の映像を船内の異なる場所に設置された複数の情報処理装置に接続される表示装置に表示することができると共に、それぞれの表示装置に表示された映像をそれぞれの情報処理装置に接続される記録装置に記録することができる船内監視記録システムを提供することを目的とする。
【課題を解決するための手段】
【０００８】
そこで、本発明の船内監視記録システムは、船内の映像を表示させるとともに記録させて、該船内を監視する船内監視記録システムであって、前記船内を撮影する撮影部、及び、前記撮影部で撮影された前記船内の映像を映像データとして送信するデータ送信部を有し、前記船内の所定の場所に備えられる撮影装置と、前記撮影装置の前記送信部から送信された前記映像データを受信する第１データ受信部、前記第１受信部で受信した前記映像データを記憶する第１記憶部、及び、前記第１記憶部に記憶された前記映像データに基づいて、前記撮影装置の前記撮影部で撮影された前記船内の映像を第１表示装置に表示させる第１表示部を有し、前記船内の所望の場所に設置される前記第１情報処理装置と、前記第１情報処理装置の前記第１記憶部に記憶された前記映像データを記録用の映像データとして記録する第１記録装置と、前記第１情報処理装置の前記第１データ受信部で受信した前記映像データと同じ映像データを受信する第２データ受信部、前記第２受信部で受信した前記映像データを記憶する第２記憶部、及び、前記第２記憶部に記憶された前記映像データに基づいて、前記撮影装置の前記撮影部で撮影された前記船内の映像を第２表示装置に表示させる第２表示部を有し、前記船内の前記第１情報処理装置とは異なる場所に設置される前記第２情報処理装置と、前記第２情報処理装置の前記第２記憶部に記憶された前記映像データを記録用の映像データとして記録する第２記録装置とを有することを特徴とする。
【０００９】
本発明の船内監視記録システムによれば、船内の所定の場所に設置された撮影装置の撮影部が撮影した映像を映像データとしてデータ送信部から第１情報処理装置及び第２情報処理装置に送信する。第１情報処理装置及び第１情報処理装置とは異なる場所に設置される第２情報処理装置は、データ受信部を介して映像データを受信し、受信した映像データを記憶部に記憶する。そして、第１情報処理装置及び第２情報処理装置は、それぞれの表示部によって、接続されているそれぞれの表示装置に撮影装置が撮影した映像を表示させるとともに、接続されているそれぞれの記録装置に映像データを記録する。
【発明の効果】
【００１０】
本発明の船内監視記録システムは、撮影装置が撮影した映像が設置場所の異なる複数の情報処理装置に表示される。また、それぞれの情報処理装置に接続されたそれぞれの記録装置に撮影装置が撮影した映像に基づく映像データを記録することができる。これにより、１台の情報処理装置が破壊されたとしても、もう１台の情報処理装置で映像を確認することができるとともに、それぞれの映像データを情報処理装置内の記憶部とは別に記録することで、船外にある情報処理装置によっても撮影装置が撮影した映像を確認することができる。したがって、本発明は、航海中の例えば火災などのトラブルの発生や密航のための船内の監視だけでなく、航海後における安全対策に寄与することが可能となり、より安全な航海を提供することができる。
【発明を実施するための最良の形態】
【００１１】
本発明は、貨物船や客船に備えられ、船内の映像を表示させるとともに記録させて、該船内を監視する船内監視記録システムであるが、理解を容易とするために、船舶を動かす機関室からの火災の発見のために用いられる船内監視記録システムを一例に挙げて説明する。なお、本発明においては、以下の記述に限定されるものではなく、本発明の要旨を逸脱しない範囲において、適宜変更可能である。
【００１２】
本発明の船内監視記録システムは、図１のように、撮影装置としてのカメラ装置４と、第１情報処理装置としての機関制御室ＰＣ（Ｐｅｒｓｏｎａｌ  Ｃｏｍｐｕｔｅｒ）１０と、第１表示装置としての機関制御室ディスプレイ１５と、第１記録装置としての機関制御室外付けハードディスク１９と、第２情報処理装置としての操舵室ＰＣ２０と、第２表示装置としての操舵室ディスプレイ２５と、第２記録装置としての操舵室外付けハードディスク２９と、ネットワーク５と、第３情報処理装置としての船外ＰＣ３０と、第３表示装置としての船外ディスプレイ３５とを有している。
【００１３】
カメラ装置４は、図２のように、カメラ部４０と、データ送信部４５とを有し、機関室内にある機器及び装置の様子が撮影可能なように、機関室の柱や天井などに備えられる。カメラ装置４のカメラ部４０は、船内の様子として機関室にある機器及び装置の様子を撮影する。カメラ装置４は、この撮影を行いながら、カメラ部４０が撮影した映像を所定時間毎に映像データに変換する。
【００１４】
カメラ装置４のこのデータ送信部４５は、映像データを送信するための図示しないインターフェースを制御し、映像データを機関制御室ＰＣ１０及び操舵室ＰＣ２０に送信する。このインターフェースが例えば機関制御室ＰＣ１０や操舵室ＰＣ２０と有線で接続されている場合、データ送信部４５は、インターフェースに接続されている光ケーブルなどを介して、各ＰＣに直接映像データを送信する。また、このインターフェースが例えば機関制御室ＰＣ１０や操舵室ＰＣ２０と無線で接続されている場合は、データ送信部４５は、インターフェースに接続されている図示しない無線送信装置を介して、無線によって各ＰＣに映像データを送信する。このように、データ送信部４５は、カメラ装置４の環境に応じて映像データの送信方法を変え、映像データを機関制御室ＰＣ１０や操舵室ＰＣ２０に送信する。
【００１５】
カメラ装置４は、船内の機関室にある船舶を動かすための機器及び装置を撮影するために、少なくとも１台以上が機関室内の機器や装置に向かって備えられている。このカメラ装置４が複数ある場合、それぞれのカメラ装置４には、各ＰＣが各カメラを特定することができるように、例えばＩＰ（Ｉｎｔｅｒｎｅｔ  Ｐｒｏｔｏｃｏｌ）アドレスなどのカメラ固有の識別子が付与されている。このカメラ固有の識別子は、映像データと共に送信される。したがって、各ＰＣは、カメラ固有の識別子から、機関室内のどの機器や装置に向かって備えられているカメラ装置４であるかを認識することができる。また、カメラ装置４は、船内の様子を撮影し、映像として機関制御室ＰＣ１０や操舵室ＰＣ２０に送信することができればどのようなものであってもよい。
【００１６】
機関制御室ＰＣ１０は、図３のように、制御部１１と、第１データ受信部としてのデータ受信部１２と、第１記憶部としての記憶部１３と、第１表示部としての表示部１４と、記録制御部１８とを有している。
【００１７】
機関制御室ＰＣ１０は、カメラ装置４が備えられている機関室の近傍にある機関室内の機器や装置などを制御する機関制御室に設置され、映像データをカメラ装置４から受信する。この機関制御室ＰＣ１０は、図示しないインターフェースを介して、機関制御室ディスプレイ１５、機関制御室外付けハードディスク１９を接続している。また、機関制御室ＰＣ１０は、操舵室ＰＣ２０と接続され、相互にデータの送受信が可能となっている。
【００１８】
機関制御室ＰＣ１０の制御部１１は、例えばＣＰＵ（Ｃｅｎｔｒａｌ  ｐｒｏｃｅｓｓｉｎｇ  Ｕｎｉｔ）といったマイクロプロセッサで構成され、図示しないＲＡＭ（Ｒａｎｄｏｍ−Ａｃｃｅｓｓ  Ｍｅｍｏｒｙ）に一時的なデータやプログラムを展開することで記憶部１３や図示しないＲＯＭ（Ｒｅａｄ−Ｏｎｌｙ  Ｍｅｍｏｒｙ）に記憶されたプログラムを実行し、プログラムに基づいてデータの受け渡しや各部における処理を行わせる。すなわち、制御部１１は、データ受信部１２、記憶部１３、表示部１４、記録制御部１８などの各部を統括制御する。
【００１９】
データ受信部１２は、機関制御室ＰＣ１０の図示しないインターフェースを介し、カメラ装置４及び操舵室ＰＣ２０と接続され、データを受信する。このデータ受信部１２は、インターフェースを介して、カメラ装置４から映像データを受信する。そして、データ受信部１２は、受信した映像データを制御部１１に渡す。このデータ受信部１２は、カメラ装置４から映像データと共に送信されるカメラ固有の識別子も受信する。そして、データ受信部１２は、その識別子も映像データと共に制御部１１に渡す。
【００２０】
記憶部１３は、機関制御室ＰＣ１０に内蔵される大容量の不揮発性の記憶装置で、書き換え可能なプログラムやデータを記憶している。この記憶部１３は、制御部１１によって、受け取った映像データを記憶する。このとき、記憶部１３は、映像データに関連付けられたカメラ固有の識別子も記憶する。そして、記憶部１３は、表示部１４や記録制御部１８に読み出され、記憶部１３に記憶された映像データが機関制御室ディスプレイ１５に表示されたり、機関制御室外付けハードディスク１９に記憶されたりする。
【００２１】
この記憶部１３には、カメラ装置４が備えられた場所や、カメラ装置４が撮影する機器や装置の名称などの映像データに付随する付随情報と、カメラ固有の識別子とを関連付けた付随情報テーブルを予め記憶している。この場合、記憶部１３に記憶されている付随情報は、映像データ及びその映像データに関連付けられた識別子とともに表示部１４や記録制御部１８に読み出される。
【００２２】
表示部１４は、機関制御室ＰＣ１０の図示しないインターフェースを経由して機関制御室ディスプレイ１５に接続されている。この表示部１４は、インターフェースを介して、機関制御室ディスプレイ１５を制御し、この機関制御室ディスプレイ１５に所定の画面を表示させる。この表示部１４は、記憶された映像データを記憶部１３から読み出す。そして、表示部１４は、その映像データからカメラ装置４が撮影した機関室の機器や装置の様子を映す映像に変換する。そして表示部１４は、表示させる表示画面を作成して、機関制御室ディスプレイ１５にその表示画面を表示させる。
【００２３】
このとき、この表示部１４は、映像データと共に映像データに関連付けられた識別子を記憶部１３から読み出す。表示部１４は、記憶部１３に記憶されている付随情報テーブルを参照し、識別子に対応する付随情報を読み出す。そして、表示部１４は、映像を表示させる表示画面に付随情報を表示させるようにする。これにより、機関制御室ディスプレイ１５を確認することで、映像と共に付随情報を見ることができる。したがって、付随情報が、カメラ装置４が備えられた場所や、カメラ装置４が撮影する機器や装置の名称であれば、機関制御室ディスプレイ１５に表示される映像が何の映像であるかを確認することができる。
【００２４】
記録制御部１８は、機関制御室ＰＣ１０の図示しないインターフェースを経由して機関制御室外付けハードディスク１９に接続されている。この記録制御部１８は、インターフェースを介して、機関制御室外付けハードディスク１９を制御し、各種データを記録させる。この記録制御部１８は、記憶された映像データを記憶部１３から読み出す。そして、記録制御部１８は、その映像データを機関制御室外付けハードディスク１９に書き込み、映像データを記録する。
【００２５】
このとき、記録制御部１８は、映像データに関連付けられた識別子を記憶部１３から読み出す。記録制御部１８は、記憶部１３に記憶されている付随情報テーブルを参照し、識別子に対応する付随情報を読み出す。そして、記録制御部１８は、映像データに付随情報を関連付けて機関制御室外付けハードディスク１９に記録する。
【００２６】
機関制御室ＰＣ１０に接続されている機関制御室ディスプレイ１５は、ＣＲＴ（Ｃａｔｈｏｄｅ  Ｒａｙ  Ｔｕｂｅ）ディスプレイや液晶ディスプレイなどの表示装置で、機関制御室ＰＣ１０の表示部１４の制御に基づいて、映像データに基づく映像を表示する。
【００２７】
機関制御室外付けハードディスク１９は、大容量のハードディスクで、機関制御室ＰＣ１０の記録制御部１８によって映像データが記録される。この機関制御室外付けハードディスク１９は、機関制御室ＰＣ１０から取り外すことができ、他のＰＣに接続することで、記録されている映像データを読み出すことができる。
【００２８】
操舵室ＰＣ２０は、図４のように、制御部２１と、第２データ受信部としてのデータ受信部２２と、第２記憶部としての記憶部２３と、第２表示部としての表示部２４と、第２データ送信部としてのデータ送信部２６と、記録制御部２８とを有している。
【００２９】
操舵室ＰＣ２０は、操舵室に設置され、映像データをカメラ装置４から受信する。この操舵室は、カメラ装置４が備えられている機関室とは異なる場所で、機関室から離れた場所にある。操舵室は、船舶を操作する舵があるため、特に大型の船舶の場合、船舶の進行方向に対して前方側にある。一方、船舶を動かすための機器や装置がある機関室は、船舶の進行方向に対して後方側にある。この操舵室ＰＣ２０は、図示しないインターフェースを介して、操舵室ディスプレイ２５、操舵室外付けハードディスク２９を接続している。また、操舵室ＰＣ２０は、機関制御室ＰＣ１０と接続され、相互にデータの送受信が可能となっている。
【００３０】
操舵室ＰＣ２０の制御部２１は、例えばＣＰＵといったマイクロプロセッサで構成され、図示しないＲＡＭに一時的なデータやプログラムを展開することで記憶部２３や図示しないＲＯＭに記憶されたプログラムを実行し、プログラムに基づいてデータの受け渡しや各部における処理を行わせる。すなわち、制御部２１は、データ受信部２２、記憶部２３、表示部２４、データ送信部２６、記録制御部２８などの各部を統括制御する。
【００３１】
データ受信部２２は、操舵室ＰＣ２０の図示しないインターフェースを介し、カメラ装置４及び機関制御室ＰＣ１０と接続され、データを受信する。このデータ受信部２２は、インターフェースを介して、カメラ装置４から映像データを受信する。そして、データ受信部２２は、受信した映像データを制御部２１に渡す。このデータ受信部２２は、カメラ装置４から映像データと共に送信されるカメラ固有の識別子も受信する。そして、データ受信部２２は、その識別子も映像データと共に制御部２１に渡す。
【００３２】
記憶部２３は、操舵室ＰＣ２０に内蔵される大容量の不揮発性の記憶装置で、書き換え可能なプログラムやデータを記憶している。この記憶部２３は、制御部２１によって、受け取った映像データを記憶する。このとき、記憶部２３は、映像データに関連付けられたカメラ固有の識別子も記憶する。そして、記憶部２３は、表示部２４や記録制御部２８やデータ送信部２６に読み出され、記憶部２３に記憶された映像データが操舵室ディスプレイ２５に表示されたり、操舵室外付けハードディスク２９に記憶されたりする。
【００３３】
この記憶部２３には、カメラ装置４が備えられた場所や、カメラ装置４が撮影する機器や装置の名称などの映像データに付随する付随情報と、カメラ固有の識別子とを関連付けた付随情報テーブルを予め記憶している。この付随情報テーブルは機関制御室ＰＣ１０の記憶部１３に記憶されている付随情報テーブルと同じテーブルである。この場合、記憶部２３に記憶されている付随情報は、映像データとともに表示部２４や記録制御部２８に読み出される。
【００３４】
表示部２４は、操舵室ＰＣ２０の図示しないインターフェースを経由して操舵室ディスプレイ２５に接続されている。この表示部２４は、インターフェースを介して、操舵室ディスプレイ２５を制御し、この操舵室ディスプレイ２５に所定の画面を表示させる。この表示部２４は、記憶された映像データを記憶部２３から読み出す。そして、表示部２４は、その映像データからカメラ装置４が撮影した機関室の機器や装置の様子を映す映像に変換する。そして表示部２４は、表示させる表示画面を作成して、操舵室ディスプレイ２５にその表示画面を表示させる。
【００３５】
このとき、この表示部２４は、映像データと共に映像データに関連付けられた識別子を記憶部２３から読み出す。表示部２４は、記憶部２３に記憶されている付随情報テーブルを参照し、識別子に対応する付随情報を読み出す。そして、表示部２４は、映像を表示させる表示画面に付随情報を表示させるようにする。これにより、操舵室ディスプレイ２５を確認することで、映像と共に付随情報を見ることができる。したがって、付随情報が、カメラ装置４が備えられた場所や、カメラ装置４が撮影する機器や装置の名称であれば、操舵室ディスプレイ２５に表示される映像が何の映像であるかを確認することができる。
【００３６】
データ送信部２６は、映像データを送信するための図示しないインターフェースを制御し、記憶部２３に記憶された映像データを船外ＰＣ３０に送信する。この場合、データ送信部２６は、映像データを送信する度に、例えば公衆衛星回線などのネットワーク５に接続し、予め取得しておいた映像データを送信する船外ＰＣ３０のＩＰアドレスを使って船外ＰＣ３０と通信可能に接続する。接続後、データ送信部２６は、映像データをネットワーク５を介して船外ＰＣ３０に映像データを送信する。このとき、データ送信部２６は、記憶部２３から送信する映像データに関連付けられたカメラ固有の識別子を読み出し、映像データと共にカメラ固有の識別子を送信する。
【００３７】
多くの船舶は、衛星を使用して船外のＰＣと通信することがある。したがって、コストが高くなる常時接続は現実的ではない。したがって、映像データを船外ＰＣ３０に送信する場合は、映像データを送信する度に接続する方法が採用されている。
【００３８】
記録制御部２８は、操舵室ＰＣ２０の図示しないインターフェースを経由して操舵室外付けハードディスク２９に接続されている。この記録制御部２８は、インターフェースを介して、操舵室外付けハードディスク２９を制御し、各種データを記録させる。この記録制御部２８は、記憶された映像データを記憶部２３から読み出す。そして、記録制御部２８は、その映像データを操舵室外付けハードディスク２９に書き込み、映像データを記録する。
【００３９】
このとき、記録制御部２８は、映像データと共に映像データに関連付けられた識別子を記憶部２３から読み出す。記録制御部２８は、記憶部２３に記憶されている付随情報テーブルを参照し、識別子に対応する付随情報を読み出す。そして、記録制御部２８は、映像データに付随情報を関連付けて操舵室外付けハードディスク２９に記録する。
【００４０】
操舵室ＰＣ２０に接続されている操舵室ディスプレイ２５は、ＣＲＴディスプレイや液晶ディスプレイなどの表示装置で、操舵室ＰＣ２０の表示部２４の制御に基づいて、映像データに基づく映像を表示する。
【００４１】
操舵室外付けハードディスク２９は、大容量のハードディスクで、操舵室ＰＣ２０の記録制御部２８によって映像データが記録される。この操舵室外付けハードディスク２９は、操舵室ＰＣ２０から取り外すことができ、他のＰＣに接続することで、記録されている映像データを読み出すことができる。
【００４２】
船外ＰＣ３０は、図５のように、制御部３１と、第３データ受信部としてのデータ受信部３２と、記憶部３３と、第３表示部としての表示部３４とを有している。
【００４３】
船外ＰＣ３０は、例えばカメラ装置４が備えられた船舶を管理する管理会社のオフィスなどの船外に設置され、映像データを操舵室ＰＣ２０から受信する。この船外ＰＣ３０は、図示しないインターフェースを介して、船外ディスプレイ３５を接続している。
【００４４】
船外ＰＣ３０の制御部３１は、例えばＣＰＵといったマイクロプロセッサで構成され、図示しないＲＡＭに一時的なデータやプログラムを展開することで記憶部３３や図示しないＲＯＭに記憶されたプログラムを実行し、プログラムに基づいてデータの受け渡しや各部における処理を行わせる。すなわち、制御部３１は、データ受信部３２、記憶部３３、表示部３４などの各部を統括制御する。
【００４５】
データ受信部３２は、船外ＰＣ３０の図示しないインターフェースを介し、ネットワーク５と接続されている。このデータ受信部１２は、操舵室ＰＣ２０との接続時に、インターフェースを介して、操舵室ＰＣ２０の記憶部２３に記憶された映像データを受信する。そして、データ受信部３２は、受信した映像データを制御部３１に渡す。このデータ受信部３２は、映像データと共に送信されるカメラ固有の識別子も受信する。そして、データ受信部３２は、その識別子も映像データと共に制御部３１に渡す。
【００４６】
記憶部３３は、船外ＰＣ３０に内蔵される大容量の不揮発性の記憶装置で、書き換え可能なプログラムやデータを記憶している。この記憶部３３は、制御部３１によって、受け取った映像データを記憶する。このとき、記憶部３３は、映像データに関連付けられたカメラ固有の識別子も記憶する。そして、記憶部３３は、表示部３４に読み出され、記憶部３３に記憶された映像データが船外ディスプレイ３５に表示される。
【００４７】
この記憶部３３には、カメラ装置４が備えられた場所や、カメラ装置４が撮影する機器や装置の名称などの映像データに付随する付随情報と、カメラ固有の識別子とを関連付けた付随情報テーブルを予め記憶している。この付随情報テーブルは操舵室ＰＣ２０の記憶部２３に記憶されている付随情報テーブルと同じテーブルである。この場合、記憶部３３に記憶されている付随情報は、映像データとともに表示部３４に読み出される。
【００４８】
表示部３４は、船外ＰＣ３０の図示しないインターフェースを経由して船外ディスプレイ３５に接続されている。この表示部３４は、インターフェースを介して、船外ディスプレイ３５を制御し、この船外ディスプレイ３５に所定の画面を表示させる。この表示部３４は、記憶された映像データを記憶部３３から読み出す。そして、表示部３４は、その映像データからカメラ装置４が撮影した機関室の機器や装置の様子を映す映像に変換する。そして表示部３４は、表示させる表示画面を作成して、船外ディスプレイ３５にその表示画面を表示させる。
【００４９】
このとき、この表示部３４は、映像データと共に映像データに関連付けられた識別子を記憶部３３から読み出す。表示部３４は、記憶部３３に記憶されている付随情報テーブルを参照し、識別子に対応する付随情報を読み出す。そして、表示部３４は、映像を表示させる表示画面に付随情報を表示させるようにする。これにより、船外ディスプレイ３５を確認することで、映像と共に付随情報を見ることができる。したがって、付随情報が、カメラ装置４が備えられた場所や、カメラ装置４が撮影する機器や装置の名称であれば、船外ディスプレイ３５に表示される映像が何の映像であるかを確認することができる。
【００５０】
船外ＰＣ３０に接続されている船外ディスプレイ３５は、ＣＲＴディスプレイや液晶ディスプレイなどの表示装置で、船外ＰＣ３０の表示部３４の制御に基づいて、映像データに基づく映像を表示する。
【００５１】
このような構成を有する本発明の船内監視記録システムは、以下のように動作する。まず、本発明の船内監視記録システムの機関制御室ＰＣ１０及び操舵室ＰＣ２０における映像データの処理について説明する。
【００５２】
カメラ装置４のカメラ部４０は、船内の機関室にある機器や装置を撮影し続ける。カメラ部４０は、撮影した映像を所定時間毎に分割し、映像データに変換する。そして、カメラ部４０は、変換した映像データをカメラ装置４のデータ送信部４５に渡す。映像データを受け取ったデータ送信部４５は、図示しないインターフェースを介して、映像データを機関制御室ＰＣ１０と、操舵室ＰＣ２０とに同時に送信する。このとき、映像データにカメラ装置４のカメラ固有の識別子が関連付けられ、映像データと共に識別子も送信される。カメラ部４０は、撮影を行いながらこの処理を実行し、データ送信部４５は、映像が映像データに変換される度に機関制御室ＰＣ１０と、操舵室ＰＣ２０に送信する。
【００５３】
機関制御室ＰＣ１０のデータ受信部１２は、カメラ装置４から映像データと識別子を受信すると、映像データと識別子を制御部１１に渡す。映像データと識別子を受け取った制御部１１は、映像データと識別子を関連付けて記憶部１３に記憶させる。映像データは、カメラ装置４から次々に送信されるため、制御部１１は、映像データを受信した順番に順番付けをして記憶部１３に記憶させる。
【００５４】
映像データが記憶部１３に記憶されると、表示部１４は、記憶部１３から映像データを読み出し、映像データを機関制御室ディスプレイ１５に表示できる映像に変換する。このとき、表示部１４は、記憶部１３から表示する映像データに関連付けられた識別子を読み出す。そして、表示部１４は、記憶部１３に記憶される付随情報テーブルを参照し、読み出した識別子に関連付けられた付随情報を取得する。付随情報を取得した表示部１４は、映像にその付随情報を付与したような表示画面を作成し、インターフェースを介して、機関制御室ディスプレイ１５にその表示画面を表示させる。
【００５５】
このとき、表示部１４は、記憶部１３に記憶された映像データを、順番付けされた順に読み出す。これにより、映像データを受信した順番に機関制御室ディスプレイ１５に映像を表示することができる。すなわち、映像が途中でとぎれたり、前後することなく機関制御室ディスプレイ１５に表示することができる。
【００５６】
また、映像データが記憶部１３に記憶されると、記録制御部１８は、記憶部１３から映像データを読み出す。このとき、記録制御部１８は、記憶部１３から記録する映像データに関連付けられた識別子を読み出す。そして、記録制御部１８は、記憶部１３に記憶される付随情報テーブルを参照し、読み出した識別子に関連付けられた付随情報を取得する。付随情報を取得した記録制御部１８は、映像にその付随情報を関連付ける。そして記録制御部１８は、インターフェースを介して、機関制御室外付けハードディスク１９に記録する。
【００５７】
このとき、記録制御部１８は、記憶部１３に記憶された映像データを、順番付けされた順に読み出す。そして、記録制御部１８は、その映像データに付随情報を関連付け、順番を保ったまま再度順番付けをして機関制御室外付けハードディスク１９に記録する。これにより、映像データを受信した順番を崩すことなく機関制御室外付けハードディスク１９に記録することができる。
【００５８】
操舵室ＰＣ２０のデータ受信部２２は、カメラ装置４から映像データと識別子を受信すると、映像データと識別子を制御部２１に渡す。映像データと識別子を受け取った制御部２１は、映像データと識別子を関連付けて記憶部２３に記憶させる。映像データは、カメラ装置４から次々に送信されるため、制御部２１は、映像データを受信した順番に記憶部２３に記憶させる。
【００５９】
映像データが記憶部２３に記憶されると、表示部２４は、記憶部２３から映像データを読み出し、映像データを操舵室ディスプレイ２５に表示できる映像に変換する。このとき、表示部２４は、記憶部２３から表示する映像データに関連付けられた識別子を読み出す。そして、表示部２４は、記憶部２３に記憶される付随情報テーブルを参照し、読み出した識別子に関連付けられた付随情報を取得する。付随情報を取得した表示部２４は、映像にその付随情報を付与したような表示画面を作成し、インターフェースを介して、操舵室ディスプレイ２５にその表示画面を表示させる。
【００６０】
このとき、表示部２４は、記憶された順番に映像データを記憶部２３から読み出す。これにより、映像データを受信した順番に操舵室ディスプレイ２５に映像を表示することができる。すなわち、映像が途中でとぎれたり、前後することなく操舵室ディスプレイ２５に表示することができる。
【００６１】
また、映像データが記憶部２３に記憶されると、記録制御部２８は、記憶部２３から映像データを読み出す。このとき、記録制御部２８は、記憶部２３から記録する映像データに関連付けられた識別子を読み出す。そして、記録制御部２８は、記憶部２３に記憶される付随情報テーブルを参照し、読み出した識別子に関連付けられた付随情報を取得する。付随情報を取得した記録制御部２８は、映像にその付随情報を関連付ける。そして記録制御部２８は、インターフェースを介して、操舵室外付けハードディスク２９に記録する。
【００６２】
このとき、記録制御部２８は、記憶部２３に記憶された映像データを、順番付けされた順に読み出す。そして、記録制御部２８は、その映像データに付随情報を関連付け、順番を保ったまま再度順番付けをして操舵室外付けハードディスク２９に記録する。これにより、映像データを受信した順番を崩すことなく操舵室外付けハードディスク２９に記録することができる。
【００６３】
このように、本発明は、カメラ装置４で撮影した映像を機関制御室ＰＣ１０と、機関制御室ＰＣ１０から離れた場所に設置されている操舵室ＰＣに同時に表示させることができる。例えば、機関室１０の装置から火災が発生した場合、その映像を機関制御室ディスプレイ１５及び操舵室ディスプレイ２５に、その火災の様子が表示される。船の乗組員は、この映像を確認して、消火や延焼防止あるいは避難を行うことができる。また、火災が発生した機関室に近い機関制御室ＰＣ１０は、炎や熱により、破壊される可能性が高い。この場合、機関室から離れた場所に位置する操舵室ディスプレイ２５に火災の様子が表示されることで、より的確な行動を取ることができる。
【００６４】
また、それぞれのＰＣに接続されている外付けハードディスクに映像データを記録することができる。すなわち、映像データは、機関制御室ＰＣ１０と、機関制御室外付けハードディスク１９と、操舵室ＰＣ２０と、操舵室外付けハードディスク２９との４つに存在することになる。したがって、機関室の火災の影響を受けにくい操舵室にある操舵室外付けハードディスク２５を、火災発生後に操舵室ＰＣ２０から取り外すことで、船舶が沈没したり、船舶の電源系統がショートした場合などによって、映像データの全てが失われることを防止することができる。すなわち、航海後に、火災発生の検証用として利用することができ、今後の航海の安全性を高めるために利用することができる。
【００６５】
機関制御室ＰＣ１０、操舵室ＰＣ２０、及び、船外ＰＣ３０に記憶される付随情報テーブルを全て同じものとすることで、どのＰＣであっても映像データと付随情報とが一致することになり、的確な映像をディスプレイに表示することができる。
【００６６】
次に、操舵室ＰＣ２０から船外ＰＣ３０への映像データの送信及び船外ＰＣ３０における映像データの処理について説明する。
【００６７】
操舵室ＰＣ２０で映像データを船外ＰＣ３０に送信する場合、データ送信部２６は、例えば公衆衛星回線などのネットワーク５に接続し、予め取得しておいた映像データを送信する船外ＰＣ３０のＩＰアドレスを使って船外ＰＣ３０と通信可能に接続する。このとき、データ送信部２６は、記憶部２３から送信する映像データに関連付けられた識別子を読み出す。そして、データ送信部２６は、映像データと識別子を船外ＰＣ３０に送信する。複数の映像データを送信する場合、データ送信部２６は、記憶部２３に記憶された順番を保ったまま順番付けをして送信する。そして、データ送信部２６は、映像データと識別子を送信した後、ネットワーク５への接続を切断する。
【００６８】
船外ＰＣ３０のデータ受信部３２は、カメラ装置４から映像データと識別子を受信すると、映像データと識別子を制御部３１に渡す。映像データと識別子を受け取った制御部３１は、映像データと識別子を関連付けて記憶部３３に記憶させる。
【００６９】
映像データが記憶部３３に記憶されると、表示部３４は、記憶部３３から映像データを読み出し、映像データを船外ディスプレイ３５に表示できる映像に変換する。このとき、表示部３４は、記憶部３３から表示する映像データに関連付けられた識別子を取得する。そして、表示部３４は、記憶部３３に記憶される付随情報テーブルを参照し、読み出した識別子に関連付けられた付随情報を取得する。付随情報を取得した表示部３４は、映像にその付随情報を付与したような表示画面を作成し、インターフェースを介して、船外ディスプレイ３５にその表示画面を表示させる。
【００７０】
このように、映像データを船外にある船外ＰＣ３０に送信することができる。通常船舶は、陸上と異なり、通信網が整備されておらず、船外の船外ＰＣ３０とデータを送受信する場合は、通信コストの高い衛星回線を使用することになる。したがって、必要時にのみネットワーク５に接続する。このような状況である船舶において火災が発生し、特に緊急に原因を究明する必要がある場合などにおいて、本発明は、操舵室ＰＣ２０のデータ送信部２６からネットワーク５を介して船外ＰＣ３０に映像データを送信することができ、緊急的な対応が可能となる。例えば、機関室にある火災が発生した機器と同型の機器を使用している船舶に対して、注意を促したり、すぐに修理を行うことも可能である。
【００７１】
機関室には、多種多様な機器及び装置が有るため、カメラ装置４もその機器及び装置に応じて複数備え付けられていてもよい。この場合、カメラ装置４には、カメラ固有の識別子が付与されているため、送信されてきた映像データを識別子毎に分け、さらに送信されてきた順番に映像データを順番付けして記憶部に記憶させることで、映像が途中でとぎれたり、前後したり、他のカメラの映像が途中で入り込むことがなくなる。これにより、複数の場所に備えられたカメラ装置４が撮影した映像をディスプレイで確認することができる。
【００７２】
本発明は、上述のように、航海中に機関室の様子を記録しつつ、火災の発生を監視することができる船内監視記録システムである。本発明は、これに限定されるものではなく、カメラ装置４を備え付ける場所によって、その他のトラブルや密航者のための船内の監視記録システムとして利用することができる。以下、本発明を密航者のための船内の監視記録システムとして利用する例について説明する。
【００７３】
密航は、密航を企てる密航者を国籍や入船した地域に送還するために、国籍や入船した地域を特定する必要がある。通常密航者はパスポートを持っていないため、すなわち、密航者の顔と入船した地域を特定する必要がある。そのために、上述したカメラ装置４は、入船者の顔が撮影できるように、船内への入口に備えられる。より詳細には、カメラ装置４は、船内の入口で、船内から船外の方向に向かって撮影可能なように備えられる。また、カメラ装置４は、貨物に隠れて入船する可能性もあるため、貨物室にも備えられる。このカメラ装置４は、上述の例と同様の構成と同様の機能を有するが、図６のように、さらに撮影した時間を計測する時間計測部４１を有していてもよい。
【００７４】
この時間計測部４１は、撮影した時間を測定する。そして時間計測部４１は、測定した時間を時間情報として、撮影した映像データに関連付ける。そして、時間計測部４１は、その時間情報をデータ送信部４５に渡し、映像データに関連付けられるカメラ固有の識別子と同様に、カメラ装置４から機関制御室ＰＣ１０及び操舵室ＰＣ２０に送信される。
【００７５】
上述では機関制御室ＰＣ１０として例示した第１情報処理装置は、上述の例の通り、機関制御室に設置されていてもよいが、その他の部屋であってもかまわない。この例では、説明を容易とするために機関制御室ＰＣ１０と称し、機関制御室に設置されるものとする。この機関制御室ＰＣ１０は、上述の例と同様の構成を有する。
【００７６】
カメラ装置４から受信した時間情報は、カメラ固有の識別子と同様に、制御部１１によって記憶部１３に記憶される。そして、表示部１４は、映像データに関連付けられた時間情報を記憶部１３から読み出し、識別子に対応する付随情報と共に表示画面に表示させる。また、記録制御部１８は、映像データに関連付けられた時間情報を記憶部１３から読み出し、識別子に対応する付随情報と同様に映像データに関連付けて時間情報を機関制御室外付けハードディスク１９に記録する。
【００７７】
また、機関制御室ＰＣ１０に接続されている機関制御室ディスプレイ１５及び機関制御室外付けハードディスク１９として例示した第１表示装置及び第１記録装置も、機関制御室ＰＣ１０と同様に、機関制御室に設置されるものとして説明する。そして、この機関制御室ディスプレイ１５及び機関制御室外付けハードディスク１９は、上述の例と同様である。
【００７８】
上述では操舵室ＰＣ２０として例示した第２情報処理装置は、上述と同様に操舵室に設置される。この操舵室ＰＣ２０は、上述の例と同様の構成を有する。
【００７９】
カメラ装置４から受信した時間情報は、カメラ固有の識別子と同様に、制御部２１によって記憶部２３に記憶される。そして、表示部２４は、映像データに関連付けられた時間情報を記憶部２３から読み出し、識別子に対応する付随情報と共に表示画面に表示させる。また、データ送信部２６は、映像データに関連付けられた時間情報を記憶部２３から読み出し、識別子に対応する付随情報と同様に、時間情報を映像データに関連付けて船外ＰＣ３０に送信する。そして、記録制御部２８は、映像データに関連付けられた時間情報を記憶部２３から読み出し、識別子に対応する付随情報と同様に、時間情報を映像データに関連付けて機関制御室外付けハードディスク２９に記録する。
【００８０】
また、操舵室ＰＣ２０に接続されている操舵室ディスプレイ２５及び操舵室外付けハードディスク２９として例示した第２表示装置及び第２記録装置も、操舵室に設置されている。そして、操舵室ディスプレイ２５及び操舵室外付けハードディスク２９は、上述の例と同様である。
【００８１】
上述では船外ＰＣ３０として例示した第３情報処理装置は、上述と同様に船外に設置される。この船外ＰＣ３０は、上述の例と同様の構成を有する。
【００８２】
操舵室ＰＣ２０から受信した時間情報は、カメラ固有の識別子と同様に、制御部３１によって記憶部３３に記憶される。そして、表示部３４は、映像データに関連付けられた時間情報を記憶部３３から読み出し、識別子に対応する付随情報と共に表示画面に表示させる。
【００８３】
また、船外ＰＣ３０に接続されている船外ディスプレイ３５として例示した第３表示装置も、上述と同様に船外に設置されている。そして、船外ディスプレイ３５は、上述の例と同様である。
【００８４】
このような構成を有する船内監視システムは、密航者の特定を目的とした用途であっても上述の例と同様に、カメラ装置４で撮影した映像を機関制御室ＰＣ１０と、機関制御室ＰＣ１０から離れた場所に設置されている操舵室ＰＣ２０に同時に表示させることができる。
【００８５】
例えば、密航者らしき人物を発見した場合、その密航者の顔と、その密航者を撮影した場所及び時間が表示されると共に外付けハードディスクに記録される。船の乗組員は、この映像を確認して、密航者に対する対応を行うことができる。また、密航者を撮影した映像と共に表示される撮影場所と時間から、密航者が入船した地域を特定することが可能となり、密航者への的確な対応が可能となる。
【００８６】
また、それぞれのＰＣに接続されている外付けハードディスクに映像データを記録することができる。すなわち、映像データは、機関制御室ＰＣ１０と、機関制御室外付けハードディスク１９と、操舵室ＰＣ２０と、操舵室外付けハードディスク２９との４つに存在することになる。密航者によって機関制御室にある機関制御室ＰＣ１０及び機関制御室外付けハードディスク１９が破壊されても、乗組員が常駐する操舵室に設置されている操舵室ＰＣ２０及び操舵室外付けハードディスク２９を破壊することは難しい。したがって、密航者によって映像データが失われることを防止することができる。航海の安全性を高めることができる。
【００８７】
さらに、映像データを船外にある船外ＰＣ３０に送信することができる。通常船舶は、陸上と異なり、通信網が整備されておらず、船外の船外ＰＣ３０とデータを送受信する場合は、通信コストの高い衛星回線を使用することになる。したがって、必要時にのみネットワーク５に接続する。このような状況である船舶において密航者が入船してしまった場合、特に緊急な対応が必要な場合などにおいて、本発明は、操舵室ＰＣ２０のデータ送信部２６からネットワーク５を介して船外ＰＣ３０に映像データを送信することができ、緊急的な対応が可能となる。例えば、次にこの船舶が入港する港で、密航者を送還するといった対応を素早く行うことができる。
【００８８】
以上説明したが、本発明は、カメラ装置４を備える場所によって、上述した火災の発見と密航者の特定とをあわせて対応することができる。また、本発明は、その他のトラブルにも対応することができる。
【図面の簡単な説明】
【００８９】
【図１】本発明のシステム構成を示す図である。
【図２】本発明のカメラ装置の構成を示すブロック図である。
【図３】本発明の機関制御室ＰＣの構成を示すブロック図である。
【図４】本発明の操舵室ＰＣの構成を示すブロック図である。
【図５】本発明の船外ＰＣの構成を示すブロック図である。
【図６】本発明のカメラ装置の別の構成を示すブロック図である。
【符号の説明】
【００９０】
１０  機関制御室ＰＣ
１５  機関制御室ディスプレイ
１９  機関制御室外付けハードディスク
１１  制御部
１２  データ受信部
１３  記憶部
１４  表示部
１８  記録制御部
２０  操舵室ＰＣ
２５  操舵室ディスプレイ
２９  操舵室外付けハードディスク
２１  制御部
２２  データ受信部
２３  記憶部
２４  表示部
２６  データ送信部
２８  記録制御部
３０  船外ＰＣ
３５  船外ディスプレイ
３１  制御部
３２  データ受信部
３３  記憶部
３４  表示部
４  カメラ装置
４０  カメラ部
４１  時間計測部
４５  データ送信部
５  ネットワーク
【図１】
2008252457.tif 000003
【図２】
2008252457.tif 000004
【図３】
2008252457.tif 000005
【図４】
2008252457.tif 000006
【図５】
2008252457.tif 000007
【図６】
2008252457.tif 000008